(57)【要約】【課題】基板の側端部を配置してその側端部上の電子部品を圧着するバックアップステージに付着した異物を効果的にかつ効率的に除去しかつコンパクトに構成する。【解決手段】基板の側端部に電子部品を配置するとともにその基板の側端部を細長いバックアップステージ８上に配置し、圧着ツールにて電子部品を加圧して基板に圧着する電子部品圧着装置であって、略円筒状の外周面がバックアップステージ８のステージ面１０に摺接しかつ回転方向がバックアップステージ８の長手方向に沿うように配置された回転ブラシ１６を有する清掃ヘッド１２と、清掃ヘッド１２をバックアップステージ８の長手方向に移動させる移動手段１３と、清掃ヘッド１２の移動に連動して回転ブラシ１６を回転させる回転手段２０とを有する清掃装置１１を装備した。【選択図】図３
2008085147.tif 000002
【特許請求の範囲】
【請求項１】
基板の側端部に電子部品を配置するとともにその基板の側端部を細長いバックアップステージ上に配置し、圧着ツールにて電子部品を加圧して基板に圧着する電子部品圧着装置であって、略円筒状の外周面がバックアップステージの表面に摺接しかつ回転方向がバックアップステージの長手方向に沿うように配置された回転ブラシを有する清掃ヘッドと、清掃ヘッドをバックアップステージの長手方向に移動させる移動手段と、清掃ヘッドの移動に連動して回転ブラシを回転させる回転手段とを有する清掃装置を備えたことを特徴とする電子部品圧着装置。
【請求項２】
清掃ヘッドは、回転ブラシの両側に吸引部を備えていることを特徴とする請求項１記載の電子部品圧着装置。
【請求項３】
回転手段は、清掃ヘッドの移動方向に平行に配設したラックと、ラックに噛み合うとともに回転ブラシの軸に軸結合されたピニオンからなり、ピニオンの径は回転ブラシの外径より小径であることを特徴とする請求項１又は２記載の電子部品圧着装置。
【請求項４】
細長いバックアップステージ上に電子部品が配置されている基板の側端部を配置し、電子部品を圧着ツールで加圧して基板の側端部に電子部品を圧着する圧着工程と、バックアップステージの長手方向に回転ブラシを移動させるとともにその移動によって回転ブラシを回転させてバックアップステージをクリーニングする清掃工程とを有することを特徴とする電子部品圧着方法。
【請求項５】
清掃工程は、回転ブラシの両側で吸引しながら行うことを特徴とする請求項４記載の電子部品圧着方法。
【請求項６】
清掃工程において、回転ブラシがバックアップステージの少なくともパネルを配置する全長にわたって少なくとも１往復以上することを特徴とする請求項４又は５記載の電子部品圧着方法。
【請求項７】
清掃工程において、バックアップステージを長手方向に複数に分割し、回転ブラシを少なくとも１つの分割領域で１往復以上させながら各分割領域を順次移動させることを特徴とする請求項６記載の電子部品圧着方法。
【請求項８】
所定回数の圧着工程毎に清掃工程を行うことを特徴とする請求項４〜７の何れかに記載の電子部品圧着方法。
【発明の詳細な説明】
【技術分野】
【０００１】
本発明は、圧着ツールにて電子部品を基板に圧着する電子部品圧着装置と圧着方法に関し、特にそのバックアップステージをコンパクトな構成にて確実かつ効率的に清掃することができる電子部品圧着装置及び圧着方法に関するものである。
【背景技術】
【０００２】
例えば、液晶パネルやプラズマディスプレイパネルなどのフラットディスプレイパネルの製造工程において、基板としてのパネルにＴＣＰ（Ｔａｐｅ  Ｃａｒｒｉｅｒ  Ｐａｃｋａｇｅ）やＦＰＣ（Ｆｌｅｘｉｂｌｅ  Ｐｒｉｎｔｅｄ  Ｃｉｒｃｕｉｔ）やＣＯＧ（Ｃｈｉｐ  Ｏｎ  Ｇｌａｓｓ）などの電子部品を圧着して実装したり、プリント回路基板にパネルに実装されたＴＣＰやＦＰＣを圧着することでパネルにプリント回路基板を実装したりする工程があり、その圧着工程に電子部品圧着装置が用いられている。
【０００３】
電子部品圧着装置で基板に電子部品を圧着する際には、予め基板に接合部材としての異方導電テープを貼り付け、この異方導電テープを介して電子部品を基板に仮圧着した後、電子部品圧着装置で基板をバックアップステージで支持した状態で圧着ツールにて電子部品を加圧して基板に電子部品を本圧着している。
【０００４】
ところで、電子部品圧着装置においては、特に基板がガラスパネルからなる場合、その破片等がバックアップステージの表面（ステージ面と称する場合がある）に異物として付着することがあり、そのような状態で圧着ツールを用いて本圧着を行うと、基板としてのパネルに傷が付き、製品不良が発生して歩留まりの低下を招くという問題があった。
【０００５】
このような問題の解消を図った電子部品圧着装置として、バックアップステージの両端に配設した回動アームによってステージ面の略全長にわたる長さの清掃部材（ブラシ）をステージ面に接触して移動するように動作させることでステージ面を清掃するようにしたり、ステージ面の幅寸法に対応した長さの清掃部材（ブラシ）を移動手段によってステージ面の長手方向に沿って移動させてステージ面を清掃するようにした清掃装置を設けたものが知られている（例えば、特許文献１参照）。
【０００６】
また、テーブル上に移動自在に配置された基板保持ステージを清掃する清掃装置として、テーブルの適所に、ブラシと吸引部を備えた清掃アームをその一端部を中心として回動可能に配設し、基板保持ステージの清掃時に、基板保持ステージを清掃アームの回動範囲に移動させ、基板保持ステージのステージ面上に沿って清掃アームを回動させることで、ステージ面上の異物を擦って除去すると同時にその異物を吸引するようにしたものも知られている（例えば、特許文献２参照）。
【０００７】
また、半導体素子をテープキャリアにボンディングするボンディング装置において、支持台の支持面や加圧ヘッドの加圧面を清掃するため、中空で吸引穴を有する回転ブラシと異物吸引手段を備えた清掃手段を設け、ボンディング後、支持台や加圧ヘッドの原点位置への戻り工程時に回転ブラシを昇降動作させて支持面や加圧面に接触させ、異物を除去して吸引するようにしたものも知られている（例えば、特許文献３参照）。
【特許文献１】特開２００３−１７５２８号公報
【特許文献２】特開２００３−７７９８７号公報
【特許文献３】特開平１０−６４９５８号公報
【発明の開示】
【発明が解決しようとする課題】
【０００８】
しかし、特許文献１に記載された構成では、ブラシがステージ面を擦って移動する構成であるため、ステージ面に異物が強固に固着していた場合に確実に除去することが不可能なことがあるという問題がある。
【０００９】
また、特許文献２に記載された構成では、清掃アームにブラシと吸引部が設けられているので、ブラシで除去した異物を吸引して外に送出することができ、除去した異物が周辺に再付着するのを防止できるが、特許文献１の場合と同様に、ブラシがステージ面を擦って移動するだけであるため、異物を確実に除去することが不可能なことがあるという問題がある。
【００１０】
また、特許文献３に記載された構成では、回転ブラシを用いて支持台の支持面や加圧ヘッドの加圧面の異物を除去するので、異物が強固に固着していても除去することができるが、半導体素子のボンディング装置であるため、支持面や加圧面が小さく、回転ブラシを昇降動作させて支持面や加圧面に垂直方向に接触させているだけである。そのため、基板の側端部をバックアップステージに配置して圧着ツールにて電子部品を圧着するようにした、特許文献１におけるような細長いバックアップステージを清掃する場合に同様の構成を適用しようとしても、長尺の回転ブラシが必要になるため強度面から構成が大型化せざるを得ないため、清掃装置の配置スペースを大きく確保することが困難な場合には実際上適用不可能であり、また回転ブラシの中空軸部に吸引穴を設けて吸引するようにしているが、回転ブラシの回転によって除去した異物をその回転ブラシ内に吸引して除去するのは困難で、回転ブラシで除去した異物が飛散する恐れがある。
【００１１】
本発明は、上記従来の課題を解決するもので、基板の側端部を配置してその側端部上の電子部品を圧着するための細長いバックアップステージの表面に付着した異物を確実にかつ効率的に除去できるとともに、コンパクトに構成することができる電子部品圧着装置及び圧着方法を提供することを目的とする。
【課題を解決するための手段】
【００１２】
本発明の電子部品圧着装置は、基板の側端部に電子部品を配置するとともにその基板の側端部を細長いバックアップステージ上に配置し、圧着ツールにて電子部品を加圧して基板に圧着する電子部品圧着装置であって、略円筒状の外周面がバックアップステージの表面に摺接しかつ回転方向がバックアップステージの長手方向に沿うように配置された回転ブラシを有する清掃ヘッドと、清掃ヘッドをバックアップステージの長手方向に移動させる移動手段と、清掃ヘッドの移動に連動して回転ブラシを回転させる回転手段とを有する清掃装置を備えたものである。
【００１３】
この構成によれば、回転ブラシを回転させながらバックアップステージの長手方向に移動させて細長いバックアップステージの表面に付着した異物を除去するようにしているので、強固に付着した異物であっても回転ブラシで掻き取るようにして除去することで確実にかつ効率的に除去することができ、かつ回転ブラシはステージ面に摺接する略円筒状の外周面を有するとともにその回転方向が移動方向に沿うように配置されているので小さなもので良く、そのため清掃ヘッドをコンパクトに構成でき、それに伴って移動手段及び回転手段を含めた清掃装置全体をコンパクトに構成することができる。
【００１４】
また、清掃ヘッドが、回転ブラシの両側に吸引部を備えていると、回転ブラシで掻き取られて跳ね上げられた異物を確実に吸引部で吸引して外に排出することが可能である。また、吸引部が回転ブラシの両側に設けられているので、回転ブラシの回転方向が何れでも上記作用が得られ、回転ブラシによる掻き取り方向を交互又は任意に変化させても吸引することが出来るので効果的な吸引が可能である。
【００１５】
また、回転手段が、清掃ヘッドの移動方向に平行に配設したラックと、ラックに噛み合うとともに回転ブラシの軸に軸結合されたピニオンからなり、ピニオンの径は回転ブラシの外径より小径であると、移動手段にて清掃ヘッドを移動させることによってそれと連動して回転ブラシがラック・ピニオン機構にて回転駆動されるので、回転ブラシを回転するモータ等やその駆動制御装置を設ける必要がなく、低コストにて構成することができ、また回転ブラシよりピニオンの径が小さいので、回転ブラシの外周の回転速度が移動速度より高速となり、回転ブラシにてステージ面上の異物をより効果的に掻き取って清掃することができる。
【００１６】
また、本発明の電子部品圧着方法は、細長いバックアップステージ上に電子部品が配置された基板の側端部を配置し、電子部品を圧着ツールで加圧して基板の側端部に電子部品を圧着する圧着工程と、バックアップステージの長手方向に回転ブラシを移動させるとともにその移動によって回転ブラシを回転させてバックアップステージをクリーニングする清掃工程とを有するものである。
【００１７】
この構成によれば、回転ブラシを回転させながらバックアップステージの長手方向に移動させることで、細長いバックアップステージの表面に強固に付着した異物であっても回転ブラシによって確実にかつ効率的に掻き取って除去することができ、少なくともパネルを配置する全長にわたってきれいに清掃されたバックアップステージ上で基板の側端部に電子部品を圧着することができるので、高品質の圧着状態を歩留まり良く実現することができる。
【００１８】
また、清掃工程は、回転ブラシの両側で吸引しながら行うと、回転ブラシで掻き取られて跳ね上げられた異物をより効果的に吸引して外に排出することができ、異物が再付着するのを防止することができる。
【００１９】
また、清掃工程において、回転ブラシがバックアップステージの少なくともパネルを配置する全長にわたって少なくとも１往復以上すると、回転ブラシの回転方向を少なくとも１回以上正逆切り替えて回転ブラシにて異物を掻き取ることができ、ステージ面に付着した異物をより効果的に除去することができる。
【００２０】
また、清掃工程において、バックアップステージを長手方向に複数に分割し、回転ブラシを少なくとも１つの分割領域で少なくとも１往復以上させながら各分割領域を順次移動させると、各分割領域で短時間の間に掻き取り方向を正逆切り替えて異物を掻き取るので、より効果的に異物を除去することができる。
【００２１】
また、圧着工程と清掃工程を交互に行っても良いが、所定回数の圧着工程毎に清掃工程を行うようにすると、バックアップステージ上に異物が付着して圧着不良や歩留まり悪化を生じる恐れのない間は圧着工程を繰り返し、その後清掃工程を行うことにより、圧着工程の生産性をより高くすることができる。
【発明の効果】
【００２２】
本発明の電子部品圧着装置及び圧着方法によれば、回転ブラシを回転させながらバックアップステージの長手方向に移動させて異物を除去するようにしているので、強固に付着した異物であっても効果的にかつ効率的に除去することができ、かつ回転ブラシが小さなもので良く、そのため清掃ヘッドをコンパクトに構成でき、それに伴って移動手段及び回転手段を含めた清掃装置全体をコンパクトに構成することができる。
【発明を実施するための最良の形態】
【００２３】
以下、本発明の電子部品圧着装置の一実施形態について、図１〜図９を参照しながら説明する。
【００２４】
本実施形態の電子部品圧着装置は、液晶表示装置などのフラットパネルディスプレイ（ＦＰＤ）におけるパネルにＴＣＰやＦＰＣなどの電子部品を圧着するものである。図１において、電子部品圧着装置１は、図２に示すように、液晶パネルなどのパネル２に仮圧着されたＴＣＰなどの電子部品３を本圧着して接合する装置であり、具体的には矩形状のパネル２の１辺又は複数辺（図２においては３辺）の側端部にそれぞれ複数の電子部品３を本圧着するものであり、その後電子部品３に対して図２に破線で示すようにプリント回路基板４が接合される。パネル２は、その側端部に異方導電テープ（ＡＣＦ）を介して電子部品３が仮圧着された状態で電子部品圧着装置１に供給され、本圧着することで電子部品３の電極がパネル２の電極に電気的に接合される。
【００２５】
電子部品圧着装置１は、基台５の上面に、パネル載置装置６と、圧着装置７と、圧着装置７と協働してパネル２と電子部品３を本圧着するためにパネル２を下方から支持するバックアップステージ８が配設されている。また、パネル載置装置６に対してパネル２を供給・排出するためのパネル搬送装置９が、パネル載置装置６のＸ方向両側に配設されている（供給側のみ図示）。
【００２６】
パネル搬送装置９は、Ｘ方向に延設された一対のガイドレール９ａと、図示しないアーム駆動装置によりガイドレール９ａに沿ってＸ方向に移動可能なアーム９ｂを備えている。一対のガイドレール９ａは、パネル２のサイズに応じてその間隔を変更可能に構成されている。また、アーム９ｂはパネル２のＹ方向両端を載置して下方から支持する。
【００２７】
パネル載置装置６は、基台５上面にＹ方向に延設されたガイドレール６ａを備え、このガイドレール６ａに沿ってＹテーブル（図示せず）が移動可能に構成されている。Ｙテーブル上には、Ｘテーブル（図示せず）がＸ方向に移動可能に配設され、このＸテーブルに上には、回転テーブル（図示せず）がθ回転モータ（図示せず）によりＺ軸を中心として略９０°毎に水平回転可能に配設され、回転テーブル上にはパネル２を支持する支持台（図示せず）がＺ方向に昇降移動可能に配設されている。
【００２８】
圧着装置７は、基台５上面で、パネル載置装置６のＹ方向端部にＸ方向に沿って配設された門型のフレーム７ａと、フレーム７ａの水平部の下方にＸ方向に沿って配設され、Ｚ方向に移動可能に構成された圧着ヘッド７ｂと、圧着ヘッド７ｂをＺ方向に移動及び加圧するヘッド駆動部７ｃとを備えている。圧着ヘッド７ｂには、その下端の圧着ツール７ｄと圧着ツール７ｄを加熱するヒータ７ｅとが装着されている。
【００２９】
バックアップステージ８は、圧着ヘッド７ｂの直下に対向するように基台５上面にＸ方向に沿って配置され、図４に示すように、石英やセラミックスからなるステージ部材８ａを台部８ｂ上に設置して構成され、ステージ部材８ａの上面がステージ面１０を構成している。ステージ面１０は、圧着工程でパネル２の側端部が載置され、圧着ツール７ｄとの間でパネル２の側端部と電子部品３を挟んで圧着するものである。
【００３０】
バックアップステージ８のパネル載置装置６とはＹ方向反対側の側部には、ステージ面１０に存在する異物を除去して清掃する清掃装置１１が配設されており、以下図３〜図９を参照してその詳細を説明する。
【００３１】
清掃装置１１は、図３〜図６に示すように、ステージ面１０を清掃する清掃ヘッド１２と、この清掃ヘッド１２をバックアップステージ８の長手方向に移動させる移動手段１３とを備えている。移動手段１３はシリンダ装置や送りねじ機構とその駆動モータからなるもの等、任意の公知の手段を適用することができる。この移動手段１３は、その長手方向に適当間隔あけて基台５上に立設された一対の取付部材１４ａ、１４ｂの上下方向の中間部に固定されており、かつ移動手段１３の移動体１３ａから上方に立ち上げられた連結部材１５の上端に清掃ヘッド１２が結合されている。
【００３２】
清掃ヘッド１２は、略円筒状の外周面がステージ面１０に摺接しかつ回転方向がバックアップステージ８の長手方向に沿うように配置された回転ブラシ１６と、回転ブラシ１６の両側部に配設された一対の吸引部１７ａ、１７ｂを備えている。回転ブラシ１６には、耐摩耗性が高く、ステージ面１０を傷つけることがなく、ステージ面１０の圧着時の余熱による熱的影響を受けることがなく、かつ静電気が蓄積しにくい素材が用いられる。具体的には、ポリエチレンテレフタレートなどの樹脂中に鉄などの微細金属粉を混入させ、導電性を持たせたものが用いられる。
【００３３】
吸引部１７ａ、１７ｂは、図６に詳細に示すように、回転ブラシ１６の回転方向両側位置で、ステージ面１０に対して適当な間隔をあけて対向するように開口された吸引口１８を備えており、この吸引口１８は、吸引通路１９（一部のみを図示）を介してエジェクターや真空ポンプなどの吸引排気手段（図示せず）に連通されている。なお、吸引口１８は、図７に示すように、回転ブラシ１６側に向けて斜め下方に傾斜して形成しても良く、そうすることで回転ブラシ１６から跳ね上げられた異物をより効率的に吸引することができる。
【００３４】
回転ブラシ１６を回転させるため、移動手段１３による清掃ヘッド１２の移動に機械的に連動して回転させる回転手段２０が設けられている。この回転手段２０は、清掃ヘッド１２の移動方向に平行に配設したラック２１と、ラック２１に噛み合うピニオン２２と、ピニオン２２と回転ブラシ１６を軸結合する回転軸２３にて構成されている。ラック２１は、取付部材１４ａ、１４ｂの上端に固定されて支持されている。ピニオン２２は、その直径が回転ブラシ１６の外径の１／１．５〜１／３程度の小径に設定されているのが好ましく、これによって回転ブラシ１６の周速が、清掃ヘッド１２の移動速度の１．５〜３倍程度となり、移動しながら回転する回転ブラシ１６にてステージ面１０上の異物を効果的に掻き取って除去できるように構成されている。
【００３５】
次に、 以上の構成の電子部品圧着装置１における、圧着装置７にてパネル２に電子部品３を圧着する圧着工程と、清掃装置１１にてステージ面１０を清掃する清掃工程を、主として図８を参照して説明する。
【００３６】
図８において、生産開始に当たってステージ面１０の清掃を行うため、まず生産初回か否かの判定を行い（ステップＳ１）、初回である場合は吸引部１７ａ、１７ｂを作動させ（ステップＳ２）、移動手段１３を作動させて清掃ヘッド１２を動作させ（ステップＳ３、Ｓ４）、清掃動作が完了した後吸引部１７ａ、１７ｂの作動を停止する（ステップＳ５）。
【００３７】
初回生産でない場合及び初回清掃動作が終わると、次に圧着工程に入り、パネル載置装置６にてパネル２の圧着すべき側端部をバックアップステージ８のステージ面１０上に配置する（ステップＳ６）。次に、圧着装置７を動作させて圧着ヘッド７ｂを下降動作させ（ステップＳ７）、ステージ面１０と圧着ツール７ｄとの間で加熱加圧して本圧着動作を行い（ステップＳ８、Ｓ９）、本圧着動作が完了すると、圧着ヘッド７ｂを上昇動作させた後（ステップＳ１０）、パネル２を搬出する（ステップＳ１１）。
【００３８】
次いで、清掃動作後に圧着動作を所定回数行ったか否かの判定を行い（ステップＳ１２）、所定回数行った場合には、次に清掃を行うため、上記ステップＳ２〜Ｓ５に対応するステップＳ２Ａ〜Ｓ５Ａに移行して清掃動作を行う。次に、圧着動作が所定回数に達しない場合及び清掃動作が完了すると、生産が完了したか否かの判定を行い（ステップＳ１３）、生産完了の場合はそのまま動作を終了し、生産を継続する場合は、ステップＳ１にリターンして以上の動作を繰り返す。
【００３９】
上記清掃工程において、回転ブラシ１６を回転させながらステージ面１０の長手方向に移動させてステージ面１０に付着した異物を除去するようにしているので、ステージ面１０に強固に付着した異物であっても回転ブラシ１６で掻き取って効果的にかつ効率的に除去することができ、かつ回転ブラシ１６の両側に配置した吸引部１７ａ、１７ｂにて回転ブラシ１６で掻き取られて跳ね上げられた異物をより効果的に吸引して外に排出することができ、異物が再付着するのを防止することができる。かくして、少なくともパネルを配置する全長にわたってきれいに清掃されたステージ面１０上でパネル２の側端部に電子部品３を圧着することができるので、高品質の圧着状態を歩留まり良く実現することができる。
【００４０】
また、吸引部17ａ、１７ｂが回転ブラシ１６の両側に設けられているので、回転ブラシ１６の回転方向が何れでも上記作用が得られ、回転ブラシ１６による掻き取り方向を交互又は任意に変化させても効果的に吸引することができる。すなわち、図９（ａ）に示すように、各清掃動作毎に清掃ヘッド１２を矢印ａ又は矢印ｂの如く、ステージ面１０の長手方向に一方向にのみ交互に移動させるようにしても、図９（ｂ）に示すように、各清掃動作毎に清掃ヘッド１２を矢印ｃの如く、ステージ面１０を往復移動するようにしても、さらに図９（ｃ）に示すように、ステージ面１０を長手方向に複数に分割し、矢印ｄの如く、清掃ヘッド１２を少なくとも１つの分割領域で少なくとも１往復以上させながら各分割領域を順次移動させるようにしても良い。ここで、図９（ｂ）のように、清掃ヘッド１２をステージ面１０の少なくともパネルを配置する全長にわたって少なくとも１往復以上すると、回転ブラシ１６の回転方向を少なくとも１回以上正逆切り替えて回転ブラシ１６にて異物を掻き取ることができるので、ステージ面１０に付着した異物をより効果的に除去することができる。さらに、図９（ｃ）のように、ステージ面１０の分割領域で短時間の間に掻き取り方向を正逆切り替えて異物を掻き取るようにすると、さらに効果的に異物を除去することができる。
【００４１】
また、上記構成によれば、回転ブラシ１６がステージ面１０に摺接する略円筒状の外周面を有するとともにその回転方向が移動方向に沿うように配置されているので小さなもので良く、そのため清掃ヘッド１２をコンパクトに構成でき、それに伴って移動手段１３及び回転手段２０を含めた清掃装置１１の全体をコンパクトに構成することができる。
【００４２】
また、回転手段２０が、清掃ヘッド１２の移動方向に平行に配設したラック２１と、ラック２１に噛み合うとともに回転ブラシ１６に軸結合されたピニオン２２からなるので、移動手段１３にて清掃ヘッド１２を移動させることによってそれと連動して回転ブラシ１６が回転駆動され、回転ブラシ１６を回転するモータ等やその駆動制御装置を設ける必要がなく、低コストにて構成することができる。
【００４３】
また、図８の例では、所定回数の圧着工程毎に清掃工程を行うようにしているので、ステージ面１０上に異物が付着して圧着不良や歩留まり悪化を生じる恐れのない間は圧着工程を繰り返し、その後清掃工程を行うようにしているので、圧着工程の生産性をより高くすることができる。なお、圧着工程と清掃工程を交互に行っても良い。
【産業上の利用可能性】
【００４４】
本発明の電子部品圧着装置及び圧着方法によれば、回転ブラシを回転させながらバックアップステージの長手方向に移動させて異物を除去するようにしているので、強固に付着した異物であっても確実にかつ効率的に除去することができ、かつ回転ブラシが小さなもので良く、そのため清掃ヘッドをコンパクトに構成でき、それに伴って移動手段及び回転手段を含めた清掃装置全体をコンパクトに構成することができるので、各種基板に電子部品を圧着する電子部品圧着装置に好適に利用することができる。
【図面の簡単な説明】
【００４５】
【図１】本発明の電子部品圧着装置の一実施形態の全体概略構成を示す斜視図。
【図２】同実施形態により製造されるパネルの構成を示す斜視図。
【図３】同実施形態のバックアップステージとその清掃装置の平面図。
【図４】図３のＡ−Ａ矢視側面図。
【図５】図４のＢ−Ｂ矢視図。
【図６】図４のＣ−Ｃ矢視図。
【図７】清掃ヘッドの他の構成例の図６と同様の図。
【図８】同実施形態の動作フロー図。
【図９】同実施形態における清掃ヘッドの移動動作の各種パターンの説明図。
【符号の説明】
【００４６】
１  電子部品圧着装置
２  パネル（基板）
３  電子部品
７  圧着装置
７ｄ  圧着ツール
８  バックアップステージ
１０  ステージ面
１１  清掃装置
１２  清掃ヘッド
１３  移動手段
１６  回転ブラシ
１７ａ、１７ｂ  吸引部
２０  回転手段
２１  ラック
２２  ピニオン
【図１】
2008085147.tif 000003
【図２】
2008085147.tif 000004
【図３】
2008085147.tif 000005
【図４】
2008085147.tif 000006
【図５】
2008085147.tif 000007
【図６】
2008085147.tif 000008
【図７】
2008085147.tif 000009
【図８】
2008085147.tif 000010
【図９】
2008085147.tif 000011